(57)【特許請求の範囲】
【請求項１】
給水路から電解槽に供給される水を電気分解して次亜塩素酸水を生成する次亜塩素酸水生成部と、
その次亜塩素酸水生成部にて生成される次亜塩素酸水と温水路を通して供給される温水とを混合して湯水供給路に供給する混合状態と、前記次亜塩素酸水生成部にて生成される次亜塩素酸水を前記温水路からの温水を混合することなく前記湯水供給路に供給する非混合状態とに切り換え自在な混合手段と、
前記次亜塩素酸水生成部および前記混合手段の作動を制御する制御手段とが設けられ、
その制御手段が、前記混合手段を前記混合状態に切り換えて、前記次亜塩素酸水生成部を作動させる温水供給制御状態と、前記混合手段を前記非混合状態に切り換えて、前記次亜塩素酸水生成部を作動させる冷水供給制御状態とに切り換え自在に構成され、
前記制御手段は、前記冷水供給制御状態においては、前記給水路を通して供給される水の通水量が冷水供給用設定水量以上であると、前記電解槽での電気分解を実行し、かつ、前記温水供給制御状態においては、前記通水量が前記冷水供給用設定水量よりも小さい温水供給用設定水量以上であると、前記電解槽での電気分解を実行するように構成されている次亜塩素酸水生成装置。
【請求項２】
給水路から電解槽に供給される水を電気分解して次亜塩素酸水を生成する次亜塩素酸水生成部と、
その次亜塩素酸水生成部にて生成される次亜塩素酸水と温水路を通して供給される温水とを混合して湯水供給路に供給する混合状態と、前記次亜塩素酸水生成部にて生成される次亜塩素酸水を前記温水路からの温水を混合することなく前記湯水供給路に供給する非混合状態とに切り換え自在な混合手段と、
前記次亜塩素酸水生成部および前記混合手段の作動を制御する制御手段とが設けられ、
その制御手段が、前記混合手段を前記混合状態に切り換えて、前記次亜塩素酸水生成部を作動させる温水供給制御状態と、前記混合手段を前記非混合状態に切り換えて、前記次亜塩素酸水生成部を作動させる冷水供給制御状態とに切り換え自在に構成され、
前記制御手段は、前記冷水供給制御状態においては、前記電解槽への供給通電量を冷水供給用設定量にして、電気分解を実行し、かつ、前記温水供給制御状態においては、前記供給通電量を前記冷水供給用設定量よりも大きい温水供給用設定量にして、電気分解を実行するように構成されている次亜塩素酸水生成装置。
【請求項３】
前記湯水供給路を通して温水の次亜塩素酸水を供給する温水供給状態と、前記湯水供給路を通して冷水の次亜塩素酸水を供給する冷水供給状態とを指令する手動式の指令手段が設けられ、
前記制御手段が、前記指令手段にて温水供給状態が指令されると、前記温水供給制御状態に切り換え、かつ、前記指令手段にて冷水供給状態が指令されると、前記冷水供給状態に切り換えるように構成されている請求項１又は２のいずれか１項に記載の次亜塩素酸水生成装置。
【請求項４】
前記湯水供給路を通して供給される供給次亜塩素酸水の目標温度を変更自在に設定する温度設定手段が設けられ、
前記制御手段が、前記温水供給制御状態において、前記温度設定手段にて設定される目標温度に基づいて、前記次亜塩素酸水生成部にて生成される次亜塩素酸水と温水路を通して供給される温水との混合比を調整するように構成されている請求項１又は２のいずれか１項に記載の次亜塩素酸水生成装置。
【発明の詳細な説明】
【０００１】
【発明の属する技術分野】
本発明は、給水路から電解槽に供給される水を電気分解して次亜塩素酸水を生成する次亜塩素酸水生成部と、その次亜塩素酸水生成部の作動を制御する制御手段とが設けられている次亜塩素酸水生成装置に関する。
【０００２】
【従来の技術】
上記のような次亜塩素酸水生成装置は、水道水などのように塩素イオンが含まれている水を電解槽に供給し、その水を電気分解することにより消毒効果のある次亜塩素酸水を生成して、その次亜塩素酸水を台所や洗面所などの所定箇所に供給するものであり、使用者が台所や洗面所などの所定箇所にて消毒効果のある次亜塩素酸水を使用できるようにしたものである。
【０００３】
そして、この種の次亜塩素酸水生成装置は、一般に、水道水などの水を電気分解し、その電気分解により生成される次亜塩素酸水を供給するものであり、供給される次亜塩素酸水の温度は、給水路を通して供給される水道水などの水の温度とほぼ同じ温度となっている。
【０００４】
【発明が解決しようとする課題】
しかしながら、上記従来の次亜塩素酸水生成装置では、供給される次亜塩素酸水の温度が給水路を通して供給される水の温度とほぼ同じ温度となっているために、冬場などには、給水路を通して供給される水の温度が低下するので、低温の次亜塩素酸水が供給されることとなり、使用者がその低温の次亜塩素酸水を使い辛かったり、また、使用者が高温の次亜塩素酸水を必要とする場合もあるなど、高温の次亜塩素酸水も供給できることが望まれている。
【０００５】
そこで、高温の次亜塩素酸水も供給可能とするために、給湯装置などの温水供給装置から電解槽に温水を供給可能とし、その電解槽に供給される温水を電気分解することにより、温水の次亜塩素酸水を生成し、その温水の次亜塩素酸水を供給することが考えられるが、この場合には、電解槽にて温水を電気分解することとなるので、電気分解される対象水の温度が高くなり、電気分解を行う際の電解性能が低下し、次亜塩素酸の発生量が低下して、供給される次亜塩素酸水の次亜塩素酸濃度が消毒効果が得られないような濃度まで低下してしまう虞がある。
説明を加えると、電気分解を行う際の電解性能は、電気分解される対象水の電気伝導度に比例するものであるが、その電気伝導度は、電気分解される対象水の温度が高くなるほど低くなるものであり、そのために、電気分解される対象水の温度が高い場合には、電解性能が低下し、次亜塩素酸の発生量が低下することとなる。
【０００６】
本発明は、かかる点に着目してなされたものであり、その目的は、電気分解を行う際の電解性能を低下させることなく、高温の次亜塩素酸水をも供給可能とする次亜塩素酸水生成装置を提供する点にある。
【０００７】
【課題を解決するための手段】
この目的を達成するために、請求項１に記載の発明によれば、給水路から電解槽に供給される水を電気分解して次亜塩素酸水を生成する次亜塩素酸水生成部と、
その次亜塩素酸水生成部にて生成される次亜塩素酸水と温水路を通して供給される温水とを混合して湯水供給路に供給する混合状態と、前記次亜塩素酸水生成部にて生成される次亜塩素酸水を前記温水路からの温水を混合することなく前記湯水供給路に供給する非混合状態とに切り換え自在な混合手段と、
前記次亜塩素酸水生成部および前記混合手段の作動を制御する制御手段とが設けられ、
その制御手段が、前記混合手段を前記混合状態に切り換えて、前記次亜塩素酸水生成部を作動させる温水供給制御状態と、前記混合手段を前記非混合状態に切り換えて、前記次亜塩素酸水生成部を作動させる冷水供給制御状態とに切り換え自在に構成され、
前記制御手段は、前記冷水供給制御状態においては、前記給水路を通して供給される水の通水量が冷水供給用設定水量以上であると、前記電解槽での電気分解を実行し、かつ、前記温水供給制御状態においては、前記通水量が前記冷水供給用設定水量よりも小さい温水供給用設定水量以上であると、前記電解槽での電気分解を実行するように構成されている。
【０００８】
すなわち、制御手段が、温水供給制御状態と冷水供給制御状態とのいずれかの状態に切り換えるとともに、次亜塩素酸水生成部が、その温水供給制御状態および冷水供給制御状態のいずれの状態においても、給水路から供給される水を電解槽にて電気分解するように構成されているので、制御手段が温水供給制御状態に切り換えることとにより、給水路からの水を電気分解しながら、その電気分解により生成される次亜塩素酸水と温水とを混合し、湯水供給路を通して温水の次亜塩素酸水を供給することが可能となり、また、制御手段が冷水供給状態に切り換えることにより、給水路からの水を電気分解しながら、その電気分解により生成される次亜塩素酸水を温水と混合することなく、湯水供給路を通して冷水の次亜塩素酸水を供給することが可能となる。
【０００９】
したがって、温水の次亜塩素酸水を供給可能とし、その温水の次亜塩素酸水を供給するときにも、給水路からの低温の水を電気分解することが可能となるので、電気分解を行う際の電解性能を低下させることなく、高温の次亜塩素酸水をも供給可能とする次亜塩素酸水生成装置を提供することができるに到った。
【００１１】
又、冷水供給制御状態においては、次亜塩素酸水生成部にて生成される次亜塩素酸水を温水路からの温水を混合することなく湯水供給路に供給するのに対して、温水供給制御状態においては、次亜塩素酸水生成部にて生成される次亜塩素酸水と温水路を通して供給される温水とを混合して湯水供給路に供給するので、湯水供給路を通して供給される供給次亜塩素酸水の次亜塩素酸濃度が、温水供給制御状態の方が冷水供給状態のときよりも、温水を混合させる分だけ低い濃度になり、温水供給制御状態において十分な消毒効果を得られない虞がある。
【００１２】
しかしながら、請求項１に記載の発明によれば、制御手段が、温水供給制御状態においては、給水路を通して供給される水の通水量が冷水供給用設定水量よりも小さい温水供給用設定水量以上で、電解槽での電気分解を実行させることとなるので、冷水供給制御状態のときよりも温水供給制御状態の方が電解槽に供給される水量が少ない状態で電気分解を実行することとなる。
そして、給水路を通して供給される水の通水量を人為操作などにて冷水供給制御状態のときよりも温水供給制御状態の方が少量となるように調整し、電解槽に供給される水量が温水供給制御状態のときの方が冷水供給制御状態のときよりも少量とさせることによって、温水供給制御状態のときの方が冷水供給制御状態のときよりも、電解槽への通水量を少量とした状態で電気分解を実行することが可能となって、温水供給制御状態のときの方が冷水供給制御状態のときよりも、電気分解により発生する次亜塩素酸濃度を高くすることが可能となる。
【００１３】
したがって、制御手段が、温水供給制御状態において、冷水供給制御状態のときよりも次亜塩素酸濃度の高い次亜塩素酸水を電解槽にて生成し、その濃度の高い次亜塩素酸水に温水を混合して湯水供給路を通して次亜塩素酸水を供給することとなるので、温水供給制御状態において、湯水供給路を通して供給される供給次亜塩素酸水の次亜塩素酸濃度を十分な消毒効果が得られる濃度に維持することが可能となる。
【００１４】
請求項２に記載の発明によれば、給水路から電解槽に供給される水を電気分解して次亜塩素酸水を生成する次亜塩素酸水生成部と、
その次亜塩素酸水生成部にて生成される次亜塩素酸水と温水路を通して供給される温水とを混合して湯水供給路に供給する混合状態と、前記次亜塩素酸水生成部にて生成される次亜塩素酸水を前記温水路からの温水を混合することなく前記湯水供給路に供給する非混合状態とに切り換え自在な混合手段と、
前記次亜塩素酸水生成部および前記混合手段の作動を制御する制御手段とが設けられ、
その制御手段が、前記混合手段を前記混合状態に切り換えて、前記次亜塩素酸水生成部を作動させる温水供給制御状態と、前記混合手段を前記非混合状態に切り換えて、前記次亜塩素酸水生成部を作動させる冷水供給制御状態とに切り換え自在に構成され、
前記制御手段は、前記冷水供給制御状態においては、前記電解槽への供給通電量を冷水供給用設定量にして、電気分解を実行し、かつ、前記温水供給制御状態においては、前記供給通電量を前記冷水供給用設定量よりも大きい温水供給用設定量にして、電気分解を実行するように構成されている。
【００１５】
すなわち、制御手段が、温水供給制御状態と冷水供給制御状態とのいずれかの状態に切り換えるとともに、次亜塩素酸水生成部が、その温水供給制御状態および冷水供給制御状態のいずれの状態においても、給水路から供給される水を電解槽にて電気分解するように構成されているので、制御手段が温水供給制御状態に切り換えることとにより、給水路からの水を電気分解しながら、その電気分解により生成される次亜塩素酸水と温水とを混合し、湯水供給路を通して温水の次亜塩素酸水を供給することが可能となり、また、制御手段が冷水供給状態に切り換えることにより、給水路からの水を電気分解しながら、その電気分解により生成される次亜塩素酸水を温水と混合することなく、湯水供給路を通して冷水の次亜塩素酸水を供給することが可能となる。
したがって、温水の次亜塩素酸水を供給可能とし、その温水の次亜塩素酸水を供給するときにも、給水路からの低温の水を電気分解することが可能となるので
、電気分解を行う際の電解性能を低下させることなく、高温の次亜塩素酸水をも供給可能とする次亜塩素酸水生成装置を提供することができるに到った。
又、上記請求項１に記載の如く、湯水供給路を通して供給される供給次亜塩素酸水の次亜塩素酸濃度が、温水供給制御状態の方が冷水供給状態のときよりも、温水を混合させる分だけ低い濃度になり、温水供給制御状態において十分な消毒効果を得られない虞があるが、制御手段が、温水供給制御状態においては、電解槽への供給通電量を冷水供給用設定量よりも大きい温水供給用設定量にして、電気分解を実行させることとなるので、温水供給制御状態のときの方が冷水供給制御状態のときよりも、電気分解により発生する次亜塩素酸濃度を高くすることが可能となり、温水供給制御状態において、湯水供給路を通して供給される供給次亜塩素酸水の次亜塩素酸濃度を十分な消毒効果が得られる濃度に維持することが可能となる。
【００１９】
請求項３に記載の発明によれば、前記湯水供給路を通して温水の次亜塩素酸水を供給する温水供給状態と、前記湯水供給路を通して冷水の次亜塩素酸水を供給する冷水供給状態とを指令する手動式の指令手段が設けられ、
前記制御手段が、前記指令手段にて温水供給状態が指令されると、前記温水供給制御状態に切り換え、かつ、前記指令手段にて冷水供給状態が指令されると、前記冷水供給状態に切り換えるように構成されている。
【００２０】
すなわち、使用者が手動式の指令手段にて温水供給状態を指令すると、制御手段が、温水供給制御状態に切り換え、また、使用者が手動式の指令手段にて冷水供給状態を指令すると、制御手段が、冷水供給状態に切り換えることとなるので、使用者の手動操作によって、温水供給制御状態と冷水供給制御状態とが切り換えられることとなる。
したがって、使用者の必要に応じて、温水供給制御状態と冷水供給制御状態とを適宜切り換えて、温水の次亜塩素酸水を供給したり、または、冷水の次亜塩素酸水を供給することが可能となり、使用者の使い勝手を向上することが可能となる。
【００２１】
請求項４に記載の発明によれば、前記湯水供給路を通して供給される供給次亜塩素酸水の目標温度を変更自在に設定する温度設定手段が設けられ、
前記制御手段が、前記温水供給制御状態において、前記温度設定手段にて設定される目標温度に基づいて、前記次亜塩素酸水生成部にて生成される次亜塩素酸水と温水路を通して供給される温水との混合比を調整するように構成されている。
【００２２】
すなわち、制御手段が、温水供給制御状態において、供給次亜塩素酸水の温度が温度設定手段にて設定される目標温度になるように、次亜塩素酸水と温水との混合比を調整させることが可能となるので、湯水供給路からは温度設定手段にて設定される目標温度の次亜塩素酸水が供給されることとなり、一定の温度の次亜塩素酸水しか供給できないものと比べて、装置の使い勝手を向上させることが可能となる。
【００２３】
【発明の実施の形態】
本発明にかかる次亜塩素酸水生成装置を洗面所に設置した例を図面に基づいて説明する。
〔第１実施形態〕
この次亜塩素酸水生成装置Ｔは、図１および図２に示すように、給水路１から電解槽２に供給される水を電気分解して次亜塩素酸水を生成する次亜塩素酸水生成部３と、その次亜塩素酸水生成部３にて生成される次亜塩素酸水に温水路４を通して供給される温水を混合して湯水供給路５に供給したり、または、次亜塩素酸水に温水を混合することなく湯水供給路５に供給する混合手段６と、次亜塩素酸水生成部３および混合手段６の作動を制御する制御手段としての制御部７と、その制御部７に制御情報を指令する操作部８などから構成され、ケーシングＫ内に次亜塩素酸水生成部３、混合手段６、制御部７が収納されている。
ちなみに、図１は、ケーシングＫの前面部を設置した状態での次亜塩素酸水生成装置Ｔの概観および接続状態を示す図であり、また、図２は、次亜塩素酸水生成装置Ｔの概略構成図を示すものである。
【００２４】
前記給水路１は、給水カラン９に接続され、その給水カラン９から次亜塩素酸水生成装置Ｔに供給される水量を検出する水量センサＳが設けられている。
そして、給水カラン９との接続箇所に、手動式の切替弁１０が設けられ、その切替弁１０を切り替えることにより、給水カラン９からの水道水を次亜塩素酸水生成装置Ｔに供給する状態と、給水カラン９から水道水を供給する状態とに切り替えるように構成されている。
また、温水路４には、温水器１１が接続され、その温水器１１からの温水が温水路４を通して次亜塩素酸水生成装置Ｔに供給されるように構成されている。
ちなみに、温水器１１としては、ガス燃焼式の給湯装置、電気温水器や、太陽熱利用式の温水器など各種の温水器が適応可能であるが、一定の温度の温水を供給する定温給湯タイプのものが好ましい。
【００２５】
前記次亜塩素酸水生成部３は、給水路１を通して供給される水道水を電気分解するための電解槽２、この電解槽２に挿入されるプラス電極１２およびマイナス電極１３の両電極、これらプラス電極１２およびマイナス電極１３に通電するための直流通電部１４などから構成され、直流通電部１４からプラス電極１２およびマイナス電極１３に通電することにより、電解槽２内の水道水を電気分解して次亜塩素酸水を生成するように構成されている。
なお、電極の枚数については、適宜変更が可能で、プラス電極１２およびマイナス電極１３のそれぞれを２枚以上としてもよく、２枚以上とした場合には、プラス電極１２とマイナス電極１３が交互になるように配設するようにしている。
【００２６】
前記電解槽２での電気分解について具体的に説明すると、電解槽２に供給される水道水には、数１０ｐｐｍの塩素イオン（Ｃｌ- ）が含まれており、この水道水を電気分解すると、マイナス電極１３に水素ガス（Ｈ2 ）、プラス電極１２に塩素ガス（Ｃｌ2 ）が発生することになる。
−極：２Ｈ+   ＋  ２ｅ-   →  Ｈ2 
＋極：２Ｃｌ-   →  Ｃｌ2   ＋  ２ｅ- 
【００２７】
そして、水素よりも塩素の方が反応性が高く、水素ガスよりも塩素ガスの方が先に発生することになり、先に発生した塩素ガスは、すぐに、周囲の水（Ｈ2 Ｏ）と反応し、塩酸（ＨＣｌ）と次亜塩素酸（ＨＣｌＯ）を生成する。
塩酸（ＨＣｌ）は、水中では水素イオン（Ｈ+ ）と塩素イオン（Ｃｌ- ）にほぼ１００％電離するため、結果的に次亜塩素酸（ＨＣｌＯ）のみが数〜数１０ｐｐｍ生成されて、次亜塩素酸水が生成されることになる。
Ｃｌ2   ＋  Ｈ2 Ｏ  →  ＨＣｌ  ＋  ＨＣｌＯ
→  Ｈ+   ＋  Ｃｌ-   ＋  ＨＣｌＯ
【００２８】
また、次亜塩素酸水生成部３には、電解槽２で発生した水素などの電解ガスを次亜塩素酸水から気液分離する気液分離部１５と、電気分解により発生する発生水素を触媒Ｂにより酸化反応させる発生水素処理手段１６とが備えられている。具体的に説明すると、気液分離部１５は、縦長の筒状に形成され、上側連通管１７および下側連通管１８により上下２箇所が電解槽２と連通され、気液分離部１５の下部側には、次亜塩素酸水を供給するための次亜塩素酸水供給路１９が連通接続されている。
そして、電解槽２にて生成された次亜塩素酸水は、オーバーフローして下向きに流れた後、下側連通管１８を通して気液分離部１５の下部に流入することになり、気液分離部１５の下部側が次亜塩素酸水が存在する液層となるようにしている。
また、電気分解により発生した水素ガスを含む電解ガスは、上側連通管１７を通して気液分離部１５の上部に流入することになり、気液分離部１５の上部側が水素ガスを含む電解ガスが溜まるガス層となるようにしている。
【００２９】
そして、気液分離部１５の上端部には、ガス通気孔２０を通して気液分離後の水素ガスを含む電解ガスを発生水素処理手段１６に供給するためのガス連通路２１が連通接続され、気液分離部１５には、次亜塩素酸水の液面レベルに応じて上下動自在なフロート２２、および、このフロート２２に連動してガス通気孔２０を開閉する弁体２３が設けられている。
このようにして、気液分離部１５にて次亜塩素酸水と水素ガスを含む電解ガスとに気液分離され、次亜塩素酸水は次亜塩素酸水供給路１９に供給されることになり、電解ガスは発生水素処理手段１６に供給されることになる。
【００３０】
前記発生水素処理手段１６は、電解ガス中の水素ガスと空気中の酸素とを酸化反応させる反応容器２４内に触媒Ｂが設けられ、反応容器２４に外部の空気を導入するための開口２５が形成されている。
そして、水素ガスを含む電解ガスが下方側から上方側へと流動して、反応容器２４内にて触媒Ｂにより空気中の酸素と酸化反応、すなわち触媒反応することになり、その触媒反応により水素ガス濃度を減少させるようにして、次亜塩素酸水生成装置Ｔ外に排出するようにしている。
なお、触媒Ｂとしては、例えば、白金、銅、その他水素ガスと酸素を反応させるための金属触媒が用いられている。
【００３１】
前記温水路４には、温水器１１側から順に、温水流量調整弁２６、温水バルブ２７が設けられ、温水バルブ２７よりも下流側に次亜塩素酸水供給路１９が接続され、その接続箇所に、混合バルブ２８が設けられており、温水バルブ２７と混合バルブ２８により混合手段６が構成されている。
そして、この混合手段６は、温水バルブ２７を開操作し、混合バルブ２８にて次亜塩素酸水供給路１９からの次亜塩素酸水と温水路４からの温水とを混合して湯水供給路５に供給する混合状態と、温水バルブ２７を閉操作し、混合バルブ２８にて次亜塩素酸水供給路１９からの次亜塩素酸水を温水路４からの温水を混合することなく湯水供給路５に供給する非混合状態とに切り換え自在に構成されている。
【００３２】
前記操作部８は、次亜塩素酸水生成装置Ｔに電源が投入されていることを表示する電源ランプ２９、次亜塩素酸水生成装置Ｔが運転中であることを表示する運転ランプ３０、湯水供給路５を通して温水の次亜塩素酸水を供給する温水供給状態と、湯水供給路５を通して冷水の次亜塩素酸水を供給する冷水供給状態とを指令する指令手段としての温水スイッチ３１、給水カラン９から供給される水量がオーバーしていることを表示する水量オーバーランプ３２、湯水供給路５を通して供給される供給次亜塩素酸水の目標温度を変更自在に設定する温度設定手段としての手動式の温度調整部３３などを備えて構成されている。
なお、温度調整部３３は、ダイヤル式のもので、使用者がつまみをダイヤルすることに目標温度を高から低までの５段階に調整可能としている。
【００３３】
前記制御部７は、混合手段６を混合状態に切り換えて、次亜塩素酸水生成部３を作動させる温水供給制御状態と、混合手段６を非混合状態に切り換えて、次亜塩素酸水生成部３を作動させる冷水供給制御状態とに切り換え自在に構成されている。
そして、制御部７は、温水スイッチ３１がＯＮ操作されて温水供給状態が指令されていると、温水供給制御状態に切り換え、また、温水スイッチ３１がＯＦＦ操作されて冷水供給状態が指令されていると、冷水供給制御状態に切り換えるように構成されている。
【００３４】
また、制御部７は、冷水供給制御状態においては、給水路１を通して供給される水の通水量が冷水供給用設定水量以上であると、電解槽２での電気分解を実行し、温水供給制御状態においては、前記通水量が冷水供給用設定水量よりも小さい温水供給用設定水量以上であると、電解槽２での電気分解を実行するように構成されている。
【００３５】
前記冷水供給制御状態について説明を加えると、制御部７は、水量センサＳの検出水量が冷水供給用設定水量（例えば、２．０リットル／分）以上となると、運転ランプ３０を点灯するとともに、直流通電部１４からプラス電極１２およびマイナス電極１３に通電して、電解槽２での電気分解を実行し、前記検出水量が冷水供給用設定水量（例えば、２．０リットル／分）以上であると、直流通電部１４からプラス電極１２およびマイナス電極１３への通電を継続する。
そして、制御部７は、水量センサＳの検出水量が冷水供給用能力限界水量（例えば、４．０リットル／分）以上となると、水量オーバーランプ３２を点灯させ、使用者に対して、給水カラン９からの水量が多すぎて電気分解する際に所望の電解性能を維持できない状態であることを報知するように構成されている。
なお、使用者は、水量オーバーランプ３２が点灯していると、水量オーバーランプ３２が消灯するまで給水カラン９にて次亜塩素酸水生成装置Ｔへの水量を絞ることとなる。
【００３６】
前記温水供給制御状態について説明を加えると、制御部７は、水量センサＳの検出水量が冷水供給用設定水量よりも小さい温水供給用設定水量（例えば、１．０リットル／分）以上となると、運転ランプ３０を点灯するとともに、直流通電部１４からプラス電極１２およびマイナス電極１３に通電して、電解槽２での電気分解を実行し、前記検出水量が温水供給用設定水量（例えば、１．０リットル／分）以上であると、直流通電部１４からプラス電極１２およびマイナス電極１３への通電を継続する。
そして、制御部７は、水量センサＳの検出水量が温水供給用能力限界水量（例えば、３．０リットル／分）以上となると、水量オーバーランプ３２を点灯させ、使用者に対して、給水カラン９からの水量が多すぎて電気分解する際に所望の電解性能を維持できない状態であることを報知するように構成されている。
【００３７】
すなわち、制御部７は、温水供給制御状態のときの方が冷水供給制御状態のときよりも、電解槽２に供給される水量が小さくなるようにしながら、電解槽２にて電気分解を行うことによって、次亜塩素酸水生成部３にて生成される次亜塩素酸水の次亜塩素酸濃度が高くなるように構成されている。
そして、温水供給制御状態のときの方が冷水供給制御状態のときよりも、生成される次亜塩素酸水の次亜塩素酸濃度を高くすることにより、次亜塩素酸水生成部３にて生成された次亜塩素酸水と温水路４からの温水とを混合して、その混合された次亜塩素酸水を供給次亜塩素酸水として湯水供給路５を通して供給しても、すなわち、温水の次亜塩素酸水を供給しても、その供給される次亜塩素酸水の次亜塩素酸濃度を十分な消毒効果が得られるような濃度に維持するように構成されている。
ちなみに、供給次亜塩素酸水の次亜塩素酸濃度が４ｐｐｍ以上で消毒効果が得られるために、湯水供給路５を通して供給される供給次亜塩素酸水の次亜塩素酸濃度が４ｐｐｍ以上となるように構成されている。
【００３８】
以上の如く、温水供給制御状態または冷水供給制御状態のいずれの状態においても、電気分解される対象水を給水路１からの低温の水としながら、電気分解にて生成された次亜塩素酸水に温水を混合することにより、温水の次亜塩素酸水をも供給することができることになる。
また、温水供給制御状態の方が冷水供給制御状態のときよりも、電気分解にて生成される次亜塩素酸濃度を高くすることにより、その電気分解にて生成される次亜塩素酸水に温水を混合して温水の供給次亜塩素酸水を供給しても、十分な消毒効果が得られることになる。
【００３９】
また、制御部７は、温水供給制御状態において、温度調整部３３にて設定された目標温度に基づいて、次亜塩素酸水生成部３にて生成される次亜塩素酸水と温水路４を通して供給される温水との混合比を調整するように構成されている。
すなわち、制御部７は、温水供給制御において、湯水供給路５を通して供給される供給次亜塩素酸水の温度が温度調整部３３にて設定された目標温度になるように、、温度調整部３３にて設定される目標温度が高いほど、温水流量調整弁２６の開度が大きくなるように温水流量調整弁２６の開度を調整するように構成されている。
【００４０】
前記次亜塩素酸水生成装置Ｔの使用形態について説明すると、使用者が冷水の次亜塩素酸水を必要とするときには、使用者が、温水スイッチ３１をＯＦＦにするとともに、切替弁１０を給水カラン９からの水道水を次亜塩素酸水生成装置Ｔに供給する状態に切り替えることにより、次亜塩素酸水生成部３にて給水路１からの水道水を電気分解して次亜塩素酸水を生成し、その次亜塩素酸水を、温水路４からの温水を混合することなく、供給次亜塩素酸水として湯水供給路５から供給することとなる。
また、使用者が温水の次亜塩素酸水を必要とするときには、使用者が、温水スイッチ３１をＯＮにするとともに、切替弁１０を給水カラン９からの水道水を次亜塩素酸水生成装置Ｔに供給する状態に切り替えることにより、次亜塩素酸水生成部３にて給水路１からの水道水を電気分解して次亜塩素酸水を生成し、その次亜塩素酸水を、温水路４からの温水と混合して、その混合された次亜塩素酸水を供給次亜塩素酸水として湯水供給路５から供給することとなる。
【００４１】
〔第２実施形態〕
この第２実施形態は、上記第１実施形態における制御部７の動作の別実施形態を示すものであり、その他の構成については上記第１実施形態と同様である。
ちなみに、この第２実施形態においては、上記第１実施形態と異なる構成のみについて説明し、その他の構成については同符号を記すなどしてその詳細な説明を省略する。
【００４２】
前記制御部７は、冷水供給制御状態においては、電解槽２への供給通電量を冷水供給用設定量にして、電気分解を実行し、かつ、温水供給制御状態においては、電解槽２への供給通電量を冷水供給用設定量よりも大きい温水供給用設定量にして、電気分解を実行するように構成されている。
具体的に説明すると、制御部７は、冷水供給制御状態においては、直流通電部１４からプラス電極１２およびマイナス電極１３に供給される通電量を冷水供給用設定量として、直流通電部１４からプラス電極１２およびマイナス電極１３に通電し、また、温水供給制御状態においては、直流通電部１４からプラス電極１２およびマイナス電極１３に供給される通電量を冷水供給用設定量よりも大きい温水供給用設定量として、直流通電部１４からプラス電極１２およびマイナス電極１３に通電するように構成されている。
【００４３】
すなわち、制御部７は、温水供給制御状態のときの方が冷水供給制御状態のときよりも、次亜塩素酸水生成部３にて生成される次亜塩素酸水の次亜塩素酸濃度が高くなるようにして、次亜塩素酸水生成部３にて生成された次亜塩素酸水と温水路４からの温水とを混合して、その混合された次亜塩素酸水を供給次亜塩素酸水として湯水供給路５を通して供給しても、十分な消毒効果が得られるように構成されている。
【００４４】
ちなみに、この第２実施形態において、制御部７は、冷水供給制御状態と温水供給制御状態のいずれの状態においても、水量センサＳの検出水量が設定作動水量以上であると、電解槽２での電気分解を実行するように構成したり、または、上記第１実施形態の如く、冷水供給制御状態においては、給水路１を通して供給される水の通水量が冷水供給用設定水量以上であると、電解槽２での電気分解を実行し、温水供給制御状態においては、前記通水量が冷水供給用設定水量よりも小さい温水供給用設定水量以上であると、電解槽２での電気分解を実行するように構成してもよい。
【００４９】
〔別実施形態〕
（１）上記第１及び２実施形態では、給水路１を通して供給される水の全量を電解槽２に供給するように構成されているが、給水路１を通して供給される水の一部を電解槽２に供給し、電解槽２にて生成された次亜塩素酸水に給水路１を通して供給される残りの一部の水を混合して供給するように構成して実施することも可能である。
具体的に説明を加えると、図３に示すように、給水路１を通して供給される水の一部を電解槽２を迂回して混合バルブ２８よりも次亜塩素酸水の通流方向の下流側に供給するバイパス路３４を設け、そのバイパス路３４にバイパス路３４の水の通流量を調整可能なバイパス弁３５を設け、給水路１を通して供給される水の一部を電解槽２に供給し、その一部の水を電気分解して次亜塩素酸水を生成し、その次亜塩素酸水にバイパス路３４を通して供給される水を混合して湯水供給路５を通して供給次亜塩素酸水を供給するように構成されている。
ちなみに、バイパス弁３５は、バイパス路３４の水の通流を断続する断続弁でもよく、あるいは、バイパス路３４の水の通流量をゼロを含んで調整可能な調整弁でもよい。
【００５０】
すなわち、図３に示すものでは、給水路１からの水を、電解槽２に供給するものとバイパス路３４に供給するものとに分岐し、電気分解にて生成される次亜塩素酸水にバイパス路３４からの水を混合して湯水供給路５を通して供給することにより、湯水供給路５を通して供給される供給次亜塩素酸水の供給量を確保するように構成されている。
【００５１】
また、上述の図３に示すものでは、バイパス路３４における水の通流方向の下流側端部を混合バルブ２８よりも次亜塩素酸水の通流方向の下流側に接続し、給水路１を通して供給される水の一部を電解槽２を迂回して混合バルブ２８よりも水の通流方向の下流側に供給するようにしているが、この構成に代えて、バイパス路３４における水の通流方向の下流側端部を次亜塩素酸水供給路１９、すなわちに混合バルブ２８よりも次亜塩素酸水の通流方向の上流側に接続し、給水路１を通して供給される水の一部を電解槽２を迂回して次亜塩素酸水供給路１９に供給するようにしてもよい。ちなみに、この場合には、バイパス路３４と次亜塩素酸水供給路１９との接続箇所よりも次亜塩素酸水の通流方向の下流側には、電解槽２への逆流を防止する逆止弁を設ける。
すなわち、給水路２を通して供給される水の一部を電解槽２に供給する場合には、残りの一部の水を電解槽２にて生成される次亜塩素酸に混合するものであればよい。
【００５２】
（２）上記第１実施形態では、使用者の人為的操作によって、冷水供給制御状態のときよりも温水供給制御状態のときの方が電解槽２に供給される水量が少量となるようにしているが、例えば、図２の点線で示す如く、給水路１に給水カラン９からの水量を調整する水量調整弁３６を設け、制御部７がこの水量調整弁３６の開度を自動的に調整することにより、冷水供給制御状態のときよりも温水供給制御状態のときの方が電解槽２に供給される水量が少量となるようにしてもよい。
また、図２の点線で示す如く、水量調整弁３６を設けずに、混合バルブ２８にて次亜塩素酸水供給路１９からの次亜塩素酸水の流量を調整することにより、冷水供給制御状態のときよりも温水供給制御状態のときの方が電解槽２に供給される水量が少量となるようにして実施することも可能である。
【００５３】
（３）上記第１及び２実施形態では、次亜塩素酸水生成部３に、気液分離部１５と発生水素処理手段１６を備える例を示したが、これら気液分離部１５と発生水素処理手段１６を備えずに実施することも可能である。
【００５４】
（４）上記第１及び２実施形態では、温水スイッチ３１がＯＮされているか、または、ＯＦＦされているかによって、制御部７が、温水供給制御状態と冷水供給制御状態とに切り換えるようにしているが、例えば、夏場は、冷水供給制御状態に切り換え、冬場は、温水供給制御状態に切りかえるなど、季節によって、制御手段が温水供給制御状態と冷水供給制御状態とを自動的に切り換えるようにすることも可能である。
【００５５】
（５）上記第１及び２実施形態では、本発明にかかる次亜塩素酸水生成装置を洗面所に設置した例を示したが、台所などその他各種の箇所に設置可能である。
【図面の簡単な説明】
【図１】次亜塩素酸水生成装置の概観および接続状態を示す図
【図２】次亜塩素酸水生成装置の概略構成図
【図３】別実施形態における次亜塩素酸水生成装置の概略構成図
【符号の説明】
１              給水路
２              電解槽
３              次亜塩素酸水生成部
４              温水路
５              温水供給路
６              混合手段
７              制御手段
３１            指令手段
３３            温度設定手段
【図１】
0004039795.tif 000002
【図２】
0004039795.tif 000003
【図３】
0004039795.tif 000004